(57)【要約】【課題】腰掛けボードの腰掛け面積と腰掛け強度とを確保でき、入浴の安全性を高めつつ、不使用時には外観良くしかもコンパクトに収納でき、デザイン性に優れたものとする。【解決手段】洗い場３に隣接する浴槽フランジ２上面に水平に載置して使用される腰掛けボード４を、桟状で剛性のある硬質部７と折り曲げ自在な柔軟性のある軟質部８とを交互に並列接続して構成すると共に、浴槽フランジ２近傍の浴室５内の露出しない位置に、腰掛けボード４を硬質部７と軟質部８との並列接続方向Ｄを浴室壁１０の高さ方向Ｅと平行に向けた縦向き姿勢で収納すると共に収納した腰掛けボード４を並列接続方向Ｄと平行な方向に引き出し可能とする腰掛けボード収納部９を備えた浴槽用腰掛け装置６である。【選択図】図１
2011024914.tif 000002
【特許請求の範囲】
【請求項１】
洗い場に隣接する浴槽フランジ上面に水平に載置して使用される腰掛けボードを、桟状で剛性のある硬質部と折り曲げ自在な柔軟性のある軟質部とを交互に並列接続して構成すると共に、上記浴槽フランジ近傍の浴室内の露出しない位置に、上記腰掛けボードを硬質部と軟質部との並列接続方向を浴室壁の高さ方向と平行に向けた縦向き姿勢で収納すると共に収納した腰掛けボードを上記並列接続方向と平行な方向に引き出し可能とする腰掛けボード収納部を設けたことを特徴とする浴槽用腰掛け装置。
【発明の詳細な説明】
【技術分野】
【０００１】
本発明は、浴槽フランジ上面に水平に載置して使用される腰掛けボードを備えた浴槽用腰掛け装置に関するものである。
【背景技術】
【０００２】
通常、介添えの手助けを得たり、自らが入浴する老人や病人が浴槽に入る際に、浴槽フランジに腰掛けて入浴の動作を安定化させる必要がある。そのため、洗い場に面した浴槽フランジの面積を広くして、腰掛け面積を広くすることで、跨ぎ動作は安定するのだが、反面、浴槽フランジを広くすればするほど浴槽の面積が狭くなり、広々と入浴できないという課題がある。そのうえ近年のデザインが進化した浴槽は、洗い場側に面した浴槽フランジ面積を小さくする傾向があり、腰掛け面積がほとんど取れないデザイン的な制約もある。
【０００３】
そこで、従来より、図６に示すように、洗い場３に隣接する浴槽１の上端部に設けた浴槽フランジ２上面に幅広の腰掛けボード４０を固定することが知られている（例えば、特許文献１参照）。
【０００４】
ところがこの特許文献１に示される従来の固定型のものでは、腰掛けボード４０が洗い場３側に突出して浴室５の有効スペースを狭めてしまい、腰掛けないときは邪魔になり、さらには健常者の入浴の妨げになるという問題や、腰掛けボード４０によって浴槽１のデザインが損なわれるという問題もある。
【先行技術文献】
【特許文献】
【０００５】
【特許文献１】特開平８−３０８７６２号公報
【発明の概要】
【発明が解決しようとする課題】
【０００６】
本発明は上記の従来の問題点に鑑みて発明したものであって、その目的とするところは、腰掛けボードの腰掛け面積と腰掛け強度とを確保でき、入浴時の安全性を高めるものでありながら、不使用時には外観良くしかもコンパクトに収納でき、デザイン性に優れた浴槽用腰掛け装置を提供することにある。
【課題を解決するための手段】
【０００７】
前記の課題を解決するために、本発明は、洗い場３に隣接する浴槽フランジ２上面に水平に載置して使用される腰掛けボード４を、桟状で剛性のある硬質部７と折り曲げ自在な柔軟性のある軟質部８とを交互に並列接続して構成する。さらに上記浴槽フランジ２近傍の浴室５内の露出しない位置に、上記腰掛けボード４を硬質部７と軟質部８との並列接続方向Ｄを浴室壁１０の高さ方向Ｅと平行に向けた縦向き姿勢で収納すると共に収納した腰掛けボード４を上記並列接続方向Ｄと平行な方向に引き出し可能とする腰掛けボード収納部９を備えたことを特徴としている。
【０００８】
このような構成とすることで、腰掛けボード４を浴槽フランジ２上面に水平配置して使用する場合は、複数の硬質部７によって腰掛け面積と腰掛け強度とが十分に確保されるようになり、従って、浴槽フランジ２の面積が狭い浴槽１であっても、腰掛けボード４を利用して入浴動作を安全に行えるようになり、しかも浴槽フランジ２の面積を広げるための制約もなくなる。一方、腰掛けボード４を使用しないときは複数の軟質部８によって腰掛けボード４を折り曲げて腰掛けボード収納部９に縦向き姿勢で収納できると共に腰掛けボード収納部９が浴室５内に露出しないため、浴室５の有効空間スペースを阻害することもない。
【発明の効果】
【０００９】
本発明は、腰掛けボードの使用時には腰掛け面積と腰掛け強度とを十分に確保できると共に、不使用時には腰掛けボードを折り曲げて腰掛けボード収納部に縦向き姿勢でコンパクトに収納できるものである。従って、浴槽フランジの面積が狭い浴槽であっても入浴動作を安全に行えると共に、浴槽のデザインの自由度を高めることができるものであり、さらに浴室の有効空間スペースを阻害することがないため、デザインの一層の向上が図られるものである。
【図面の簡単な説明】
【００１０】
【図１】本発明の浴槽用腰掛け装置を備えた浴室の一実施形態を示す斜視図である。
【図２】同上の平面図である。
【図３】同上の側面断面図である。
【図４】同上の腰掛けボードを縦向き姿勢で収納ケースに収納した状態の正面図である。
【図５】同上の腰掛けボードを縦向きと水平向きとの間で折り曲げる状態を説明する斜視図である。
【図６】従来例の固定型腰掛けボードの説明図である。
【発明を実施するための形態】
【００１１】
以下、本発明を添付図面に示す実施形態に基いて説明する。
【００１２】
図１は本発明の浴槽用腰掛け装置６を備えた浴室５の斜視図であり、図２は平面図であり、図３は側面断面図であり、図４は腰掛けボード４を縦向き姿勢で収納ケース１２に収納した状態の正面図である。
【００１３】
本発明の腰掛けボード４は、図５に示すように、桟状で剛性のある硬質部７と折り曲げ自在な柔軟性のある軟質部８とが交互に並列接続して構成されている。
【００１４】
本例では、交互に並列接続される硬質部７と軟質部８とは、例えば樹脂材料で一体成形されており、人が安定して腰掛けることができる広さと強靭さが得られるように硬質部７の長さ及びその本数が適宜に設定される。ここでは、硬質部７は強靭性を有する断面角パイプ形状をしており、軟質部８は９０°程度折り曲げ自在な薄肉形状をしている。各硬質部７の表面側が腰掛け面となっており、各硬質部７の裏面側が軟質部８を介して連続形成されている。
【００１５】
上記浴槽フランジ２近傍の浴室壁１０の壁裏スペース１１には、腰掛けボード収納部９となる薄型箱状の収納ケース１２が設置されている。一般に浴室５の壁裏スペース１１は、浴室設置有効寸法から考えて奥行き５０ｍｍ程度の空間スペースが残っており、腰掛けボード４を縦向き姿勢で収納することで、奥行き５０ｍｍ程度に収まる収納ケース１２が設置可能となる。
【００１６】
ここで、腰掛けボード４の縦向き姿勢とは、腰掛けボード４を構成する硬質部７と軟質部８との並列接続方向Ｄ（図５）を浴室壁１０の高さ方向Ｅ（図１）と平行に向けた姿勢をいい、また、腰掛けボード４の引き出し方向とは、該並列接続方向Ｄ（図５）と平行な方向をいう。
【００１７】
また、上記収納ケース１２の上端開口部は、浴槽フランジ２上面と略同じ高さに形成した壁スリット孔２０を介して浴槽フランジ２上面に連通しており、この壁スリット孔２０が腰掛けボード４の出し入れ口となっている。本例では、縦向き姿勢にある腰掛けボード４の先端部に取り付けた取手１３を掴んで腰掛けボード４を引き出すものであり、引き出す際に硬質部７間を繋ぐ軟質部８が約９０°折り曲がることで、腰掛けボード４を縦向き姿勢から水平姿勢にスムーズに変更できる構造となっている。
【００１８】
なお、壁裏スペース１１の収納ケース１２には、浴室５内の床パン上に排水するための横引き管（図示せず）が接続されており、腰掛けボード４についた水滴が収納ケース１２内部から該横引き管を通って浴室５内に戻されるようにしてあり、収納ケース１２内が常に清潔に保たれる。さらに収納ケース１２は浴室５内の蒸気が浴室５外へ出ることを防止できるように密封構造とされており、浴室５の蒸気が収納ケース１２内部から浴室５外に漏れることも防がれている。
【００１９】
しかして、上記構成の腰掛けボード４の使用時には、図４に示す縦向き姿勢にある腰掛けボード４の取手１３を掴んで図３の矢印方向Ａに向けて引き出すことで、浴槽フランジ２上面に水平に配置できる。このとき図１に示すように、腰掛けボード４は洗い場３側の一側端４ａが浴槽フランジ２の洗い場３側のフランジ面に沿って延びた状態で、腰掛けボード４を構成する複数の硬質部７のそれぞれの長手方向が洗い場３から浴槽１内に入る入浴方向Ｇと平行に向くようになり、且つ腰掛けボード４の先端側の各硬質部７が浴槽１内に張り出しており、腰掛け面積と腰掛け強度とが十分に確保された状態となる。
【００２０】
また、腰掛けた人が向きを変える動作をしたときに腰掛けボード４に水平方向Ｈ（図２）に回動する力がかかった場合でも、収納ケース１２内に残っている腰掛けボード４の一部の硬質部７（図１参照）が薄型の収納ケース１２内部で水平方向Ｈに回動するのが規制されているため、腰掛けボード４全体が水平方向に回動することはなく、固定状態を維持できる。
【００２１】
従って、浴槽フランジ２の面積が狭い浴槽１であっても、腰掛けボード４に腰掛けることで入浴動作を安全に行うことができる。
【００２２】
一方、腰掛けボード４を使用しないときは、取手１３を図３の矢印方向Ｂに押すことで腰掛けボード４を収納ケース１２内に戻すことができる。このとき腰掛けボード４が軟質部８で折り曲げられながら縦向き姿勢に変更されて、図４に示すように、壁裏スペース１１の収納ケース１２内に収納されていく。これにより、浴室５の有効空間スペースを阻害することがないものであり、しかも、腰掛けボード４や収納ケース１２が浴室５内に露出しないためデザイン的にも一層良好となる。
【００２３】
前記実施形態では壁裏スペース１１に、腰掛けボード収納部９となる収納ケース１２を設置したが、収納ケース１２の設置場所は必ずしも壁裏スペース１１に限らず、例えば浴槽フランジ２下方の浴室壁１０と浴槽１裏面との間の空洞スペース２５（図３）に設置することも可能であり、要は、浴槽フランジ２近傍であって浴室５内の露出しない位置であれば任意に選択できるものである。
【符号の説明】
【００２４】
１  浴槽
２  浴槽フランジ
３  洗い場
４  腰掛けボード
５  浴室
６  浴槽用腰掛け装置
７  硬質部
８  軟質部
９  腰掛けボード収納部
Ｄ  硬質部と軟質部との並列接続方向
Ｅ  浴室壁の高さ方向
【図１】
2011024914.tif 000003
【図２】
2011024914.tif 000004
【図３】
2011024914.tif 000005
【図４】
2011024914.tif 000006
【図５】
2011024914.tif 000007
【図６】
2011024914.tif 000008